(57)【要約】【課題】電源の確保が難しい場所においても水を温めることができて温水を供給することができる携帯型温水シャワー装置を提供する。【解決手段】携帯型温水シャワー装置２は、加熱するための水を貯留可能であり、上壁１４に設けられた注水口３０及び加熱された温水を取り出すための取出口５０を有する本体タンク４と、本体タンク４の例えば前壁１６から後壁１８にかけて貫通し、前壁１６及び後壁１８に液密に接合されている熱交換パイプ６であって、トーチバーナ７２の燃焼ガスが一方の開口からパイプ部材６６内に送り込まれ、本体タンク内の水を加熱するための熱交換パイプ６と、取出口５０に電動ポンプ用配管６２を介して接続されており、本体タンク４内の温水を圧送する電動ポンプ３８と、基端部にソケット５８が設けられているシャワーホース５６及びシャワーホース５６の先端部に取り付けられているシャワーヘッド６４を含んでいるシャワーセット８とを備えている。【選択図】図１
2019042246.tif 000002
【特許請求の範囲】
【請求項１】
携帯ガスボンベから供給された可燃ガスをトーチバーナで燃焼させ、当該燃焼ガスを熱源に用いる携帯型温水シャワー装置であって、
前記燃焼ガスで加熱される所要量の水が貯留可能であり、タンク上壁に開口する注水口と、加熱された温水を取り出すための取出口とを有する本体タンク、
パイプ部材の両端が当該本体タンクの中間高さ位置より下方のタンク壁にそれぞれ取り付けられて横架され、パイプ両端が本体タンク外に開口する少なくとも一つの熱交換パイプ、及び
基端が前記取出口に接続されるシャワーホースと、前記シャワーホースの先端に取り付けられたシャワーヘッドとを含むシャワーセット
を構成部品として備え、
前記トーチバーナの燃焼ガスが、前記熱交換パイプの一方の開口からパイプ部材内に送り込まれ、他方の開口から外気に放出され、当該燃焼ガスの熱により本体タンク内の水を加熱することを特徴とする、携帯型温水シャワー装置。
【請求項２】
前記熱交換パイプは、接着剤により前記タンク壁に液密に接合される、請求項１に記載の携帯型温水シャワー装置。
【請求項３】
前記本体タンク内に設置され、前記本体タンクの温水を吸引し前記取出口に圧送する電動ポンプ、
前記本体タンク内に設置され、前記電動ポンプを駆動するための電力を供給する蓄電池を有する電池パック、及び
前記本体タンクに取り付けられ、前記電池パックから前記電動ポンプへの電力供給をオンオフするためのスイッチ
を構成部品として更に備えている、請求項１又は２に記載の携帯型温水シャワー装置。
【請求項４】
前記電池パックの蓄電池は再充電可能であり、
前記電池パックは、蓄電池への充電を制御するための充電制御回路と、前記充電制御回路に接続され外部電源からの電力を充電制御回路に供給するための電源ポートとを備えている、請求項３に記載の携帯型温水シャワー装置。
【請求項５】
前記熱交換パイプは、横架されたパイプ部材を上下に貫通して当該パイプ部材に液密に接合され、外径が当該パイプ部材の内径より小径の循環パイプを有し、前記本体タンク内で加熱される水を、前記循環パイプを介して対流させる、請求項１〜４の何れかに記載の携帯型温水シャワー装置。
【請求項６】
前記熱交換パイプを複数備えている、請求項１〜５の何れかに記載の携帯型温水シャワー装置。
【請求項７】
前記本体タンクは、前記注水口を介して本体タンク内部に、少なくとも、前記取出口に接続されるシャワーセット、携帯ガスボンベ、及びトーチバーナを収納可能な内容量を有し、且つ、前記注水口を閉塞するための蓋体を有している、請求項１〜６の何れかに記載の携帯型温水シャワー装置。
【請求項８】
請求項１〜７の何れかに記載の携帯型温水シャワー装置を構成するに必要な構成部品と、少なくとも前記熱交換パイプをタンク壁に液密に接合するための接着剤とを備える、携帯型温水シャワー装置の組立キット。
【発明の詳細な説明】
【技術分野】
【０００１】
本発明は、携帯型温水シャワー装置及びこの携帯型温水シャワー装置の組立キットに関する。
【背景技術】
【０００２】
サーフィンなどのマリンスポーツを行った後、身体に付着した海水や砂を洗い流すため、シャワー施設が利用される。
【０００３】
しかし、シャワー施設が無い場所もあるため、そのような場所では、アウトドア用の簡易シャワー装置が一般的に利用されている。このような簡易シャワー装置としては、例えば、ポリタンクを利用した容器と、この容器にホースを介して取り付けられたシャワーヘッドとを備えた簡易な構造のものが挙げられる。この簡易シャワー装置の使用方法は、使用者が容器内に水を入れ、使用したい場所へ当該簡易シャワー装置を持って行き、その場所で、当該簡易シャワー装置を高い所に置き、容器内の水を自然落下させてシャワーヘッドから放出させる。これにより使用者は水を浴びることができる。
【０００４】
ところで、外気温が低いときなどは温水のシャワーを利用したいという要望がある。このような要望に応えようとした場合、上記の簡易シャワー装置では、予め容器内にお湯を入れておくことで対応している。しかしながら、アウトドアではお湯は直ぐに温度が低下してしまうので、簡易シャワー装置から放出される水は比較的温度が低いものとなってしまう。
【０００５】
そこで、容器内の水を加熱できるヒータを備えたシャワー装置が種々提案されている。このようなシャワー装置としては、例えば、特許文献１に示されるような簡易シャワー装置が挙げられる。
【０００６】
特許文献１の簡易シャワー装置は、水を貯留する小型のタンク内にヒータを配置して、水を電気的に所定温度に温め、この温められた水を電動ポンプによりホースを介してシャワーヘッドから放出するものである。この特許文献１の簡易シャワー装置において、ヒータ及び電動ポンプへの電力の供給には、車両の電源が用いられる。
【先行技術文献】
【特許文献】
【０００７】
【特許文献１】特開平０５−０６８６５３号公報
【発明の概要】
【発明が解決しようとする課題】
【０００８】
特許文献１の簡易シャワー装置は、上記のように車両の電源が必要なため、当該車両の近くで使用することが前提となる。
【０００９】
ところで、アウトドアでは、車両が乗り入れできない場所も多々あり、そのような場所では、特許文献１の簡易シャワー装置を使用することはできない。
【００１０】
このため、特許文献１に代表されるような簡易シャワー装置では、車両から離れており電源の確保が難しい場所においても温水シャワーを使いたいという要望には、十分に応えることができない。
【００１１】
本発明は、上記の事情に基づいてなされたものであり、その目的とするところは、電源の確保が難しい場所においても水を温めることができて温水を供給することができる携帯型温水シャワー装置、及び、この携帯型温水シャワー装置の組立キットを提供することにある。
【課題を解決するための手段】
【００１２】
本発明によれば、携帯ガスボンベから供給された可燃ガスをトーチバーナで燃焼させ、当該燃焼ガスを熱源に用いる携帯型温水シャワー装置であって、前記燃焼ガスで加熱される所要量の水が貯留可能であり、タンク上壁に開口する注水口と、加熱された温水を取り出すための取出口とを有する本体タンク、パイプ部材の両端が当該本体タンクの中間高さ位置より下方のタンク壁にそれぞれ取り付けられて横架され、パイプ両端が本体タンク外に開口する少なくとも一つの熱交換パイプ、及び基端が前記取出口に接続されるシャワーホースと、前記シャワーホースの先端に取り付けられたシャワーヘッドとを含むシャワーセットを構成部品として備え、前記トーチバーナの燃焼ガスが、前記熱交換パイプの一方の開口からパイプ部材内に送り込まれ、他方の開口から外気に放出され、当該燃焼ガスの熱により本体タンク内の水を加熱することを特徴とする、携帯型温水シャワー装置が提供される。
【００１３】
前記熱交換パイプは、好ましい態様として接着剤により前記タンク壁に液密に接合される。
【００１４】
携帯型温水シャワー装置は、前記本体タンク内に設置され、前記本体タンクの温水を吸引し前記取出口に圧送する電動ポンプ、前記本体タンク内に設置され、前記電動ポンプを駆動するための電力を供給する蓄電池を有する電池パック、及び前記本体タンクに取り付けられ、前記電池パックから前記電動ポンプへの電力供給をオンオフするためのスイッチを構成部品として更に備えて構成されることが好ましい。
【００１５】
前記電池パックの蓄電池は再充電可能であり、前記電池パックは、蓄電池への充電を制御するための充電制御回路と、前記充電制御回路に接続され外部電源からの電力を充電制御回路に供給するための電源ポートとを備えて構成されることが好ましい。
【００１６】
前記熱交換パイプは、横架されたパイプ部材を上下に貫通して当該パイプ部材に液密に接合され、外径が当該パイプ部材の内径より小径の循環パイプを有し、前記本体タンク内で加熱される水を、前記循環パイプを介して対流させる構成とすることが好ましい。
【００１７】
前記熱交換パイプを複数備えている構成とすることが好ましい。
【００１８】
前記本体タンクは、前記注水口を介して本体タンク内部に、少なくとも、前記取出口に接続されるシャワーセット、携帯ガスボンベ、及びトーチバーナを収納可能な内容量を有し、且つ、前記注水口を閉塞するための蓋体を有している構成とすることが好ましい。
【００１９】
また、本発明によれば、上記の携帯型温水シャワー装置を構成するに必要な構成部品と、少なくとも前記熱交換パイプをタンク壁に液密に接合するための接着剤とを備えている、携帯型温水シャワー装置の組立キットが提供される。
【発明の効果】
【００２０】
本発明の携帯型温水シャワー装置は、携帯ガスボンベから供給された可燃ガスをトーチバーナで燃焼させ、当該燃焼ガスを熱源に用いて水を加熱するので、水の加熱に電源が不要である。このため、本発明の携帯型温水シャワー装置は、電源の確保が難しい場所においても水を温めることができて温水シャワーを供給することができる。
【００２１】
本発明の携帯型温水シャワー装置は、組立が容易であるから、構成部品を集めて組立キットとして販売すれば、購入者はこれらの構成部品を楽しみながら組み立てることができ、サーファーなどのアウトドアスポーツ愛好者に好適なホビーグッツの嗜好品としての特性を備えさせることができる。
【図面の簡単な説明】
【００２２】
【図１】本発明の一実施形態に係る携帯型温水シャワー装置を一部切り欠いて示した斜視図である。
【図２】熱交換パイプを示した斜視図である。
【図３】図２のIII−III線に沿った熱交換パイプの断面図であって、当該熱交換パイプを本体タンクに配設した状態で示した断面図である。
【図４】第２の実施形態に係る携帯型温水シャワー装置の一部を示した平面図である。
【図５】第３の実施形態に係る組立キットの構成部品を示した斜視図である。
【発明を実施するための形態】
【００２３】
（第１の実施形態）
【００２４】
以下、本発明が適用される携帯型温水シャワー装置２について図面を参照して説明する。
【００２５】
携帯型温水シャワー装置２は、例えば、図１に示すように、水を貯留する本体タンク４と、この本体タンク４の中に配設された熱交換パイプ６と、本体タンク４に取り付けられたシャワーセット８とを備えている。
【００２６】
ここで、図１において、矢印Ｘ、矢印Ｙ及び矢印Ｚで３方向を示した場合に、矢印Ｘの基端側を左とし、矢印Ｘの先端側を右とし、矢印Ｙの基端側を下とし、矢印Ｙの先端側を上とし、矢印Ｚの基端側を前とし、矢印Ｚの先端側を後とする。
【００２７】
本体タンク４は、水を貯留でき、携行可能な軽量なものであれば材質は特に限定されるものではなく、例えば、ポリエチレン製のタンク、いわゆるポリタンクやアルミニウム製のタンクを例示することができ、特にブロー成形が可能なポリタンクが好ましい。本体タンク４の容量は、特に限定されるものではなく、持ち運び易さや十分な温水の使用量を確保することを考慮すると、例えば、２０リットル程度の容量が好適である。また、本体タンク４の形状は特に限定されないが、例えば、全体としてほぼ直方体形状をなしているものを用いることが好ましい。詳しくは、本体タンク４は、図１において、下側に位置する底壁１２と、この底壁１２と対向する上側に位置する上壁１４と、前側に位置する前壁１６と、この前壁１６と対向する後側に位置する後壁１８と、左側に位置する左側壁２０と、右側に位置する右側壁２２とを有している。なお、各壁はほぼ矩形状をなしている。
【００２８】
ここで、上壁の部分は、図１から明らかなように、ブロー成形で中空に成形される略鞍型形状を備えており、後側の一部が隆起して形成されている後側突出部２４、この後側突出部２４と前壁１６とのほぼ中間部分の一部が隆起して形成されている前側突出部２６、及び後側突出部２４と前側突出部２６との間に架け渡されている取手部２８が設けられている。
【００２９】
後側突出部２４には、本体タンク４内に水を注入するための注水口３０が設けられている。注水口３０の開口端には、円筒状に突出した注水口突出部３２が設けられている。この注水口突出部３２の外周面には、雄ねじが設けられている。そして、注水口突出部３２には、注水口突出部３２の雄ねじに合致する雌ねじを有する蓋体３４が螺合される。このようにして注水口３０は、当該蓋体３４により閉塞される。
【００３０】
注水口３０は、後述するように、本体タンク４内に収容して取り付けられる構成部品の組付け作業が容易に行えるような口径を備えている。
【００３１】
前側突出部２６においては、本体タンク４内における対応する部分に前側突出部２６とほぼ同形状のスペースが存在している。このスペースには、ポンプ駆動ユニット３６が配設されている。
【００３２】
このポンプ駆動ユニット３６は、本体タンク４内の水を吸引し本体タンク４の外へ圧送する電動ポンプ３８に電力を供給する再充電可能な蓄電池、この蓄電池への充電を制御する充電制御回路、この充電制御回路に接続され外部電源からの電力を充電制御回路に供給するための電源ポート４０、及び蓄電池から電動ポンプ３８への電力供給をオンオフするための駆動スイッチ４２を含んでいる。
【００３３】
このポンプ駆動ユニット３６においては、少なくとも蓄電池及び充電制御回路は、液密に封止され漏電を防止している。
【００３４】
ポンプ駆動ユニット３６は、上記したスペース内において、例えば、適宜個数（図示例では２個）のねじ４４により固定されている。そして、電源ポート４０及び駆動スイッチ４２は、図１に示すように、前側突出部２６の前壁の所定位置から前方に向かって外部に突出している。
【００３５】
また、上壁１４の所定位置には、電源ポート４０に電源プラグを差し込んだ際に蓄電池への導通を知らせるための青色ＬＥＤ４６、及び電動ポンプ３８のオンオフを知らせるための赤色ＬＥＤ４８が配設されている。ここで、図１に示すように、青色ＬＥＤ４６は電源ポート４０の前方の上壁１４上に、赤色ＬＥＤ４８は駆動スイッチ４２の前方の上壁１４上にそれぞれ配設されている。そして、例えば、電源ポート４０に電源プラグが差し込まれ、蓄電池と電源とが導通した場合、充電状態を示す青色ＬＥＤ４６が発光し、駆動スイッチ４２がオン状態とされ電動ポンプ３８を駆動させた場合、赤色ＬＥＤ４８が発光する。
【００３６】
更に、上壁１４の所定位置には、本体タンク４内から温水を取り出すための取出口５０が設けられている。ここで、取出口５０は、例えば、図１に示すように、上壁１４における前壁１６寄りの部分で、且つ、青色ＬＥＤ４６と赤色ＬＥＤ４８との間に位置付けられている。
【００３７】
取出口５０の開口端には、円筒状に突出した取出口突出部５２が設けられている。この取出口突出部５２の外周面には、雄ねじが設けられている。そして、取出口突出部５２には、取出口突出部５２の雄ねじに合致する雌ねじを有するシャワー用アダプタ５４が螺合されている。このシャワー用アダプタ５４は、シャワーセット８と取出口５０とを連結する部材である。シャワー用アダプタ５４の先端部には、シャワーセット８におけるシャワーホース５６の基端部に設けられたソケット５８と嵌合するワンタッチ式のカップリングプラグ６０が配設されている。
【００３８】
また、取出口５０には、本体タンク４の内側へ延びる電動ポンプ用配管６２の一端が連結されている。そして、電動ポンプ用配管６２の他端には、本体タンク４の底壁１２の近傍に配置された電動ポンプ３８が連結されている。この電動ポンプ３８が駆動することにより、本体タンク４内の水（温水）は取出口５０に圧送される。なお、電動ポンプ用配管６２は可撓性を有しているものを用いることが好ましい。
【００３９】
シャワーセット８は、基端部に上記のようなソケット５８が取り付けられているシャワーホース５６と、このシャワーホース５６の先端部に取り付けられているシャワーヘッド６４とを含んでいる。なお、シャワーヘッド６４は、シャワーの流量を調節できる流量調節機構を有している。
【００４０】
本体タンク４の前壁１６と後壁１８との間には、２組の熱交換パイプ６が略水平に配設されている。ここで、熱交換パイプ６は、本体タンク４の上下方向における中間高さ位置よりも下方に位置付けられている。
【００４１】
この熱交換パイプ６は、適宜本数が配設されていればよく、その本数は、後述するトーチバーナ７２の火力（発熱量）や熱交換パイプの形状、熱伝達性能等によって決定される。本実施形態では、図１に示すように２本配設されている。なお、熱交換パイプ６は２本以上配設されていても構わない。熱交換パイプ６の本数が多いほど温水を得るための加熱時間が短縮される。
【００４２】
熱交換パイプ６は、図２及び図３に示すように、金属製のパイプ部材６６と、このパイプ部材６６の両端縁に嵌合して設けられた金属製のフランジ６８と、パイプ部材６６の長手方向と交差する方向に延び当該パイプ部材６６を貫く金属製の循環パイプ７０とを有している。これらパイプ部材６６、フランジ６８及び循環パイプ７０を構成する金属材料としては、特に限定されるものではなく、アルミニウム、銅、鉄、ステンレス鋼等を挙げることができる。なお、これら金属材料としては、熱伝導率が高く、耐蝕性に優れた材料を用いることが好ましく、例えば、アルミニウム、銅等を用いることが好ましい。
【００４３】
パイプ部材６６は、図３に示すように、直管状の円筒体であり、一端６６ａが本体タンク４の前壁１６から少なくともフランジ６８の厚み分だけ僅かに突出しており、他端６６ｂが本体タンク４の後壁１８から少なくともフランジ６８の厚み分だけ僅かに突出している。つまり、パイプ部材６６は本体タンク４の前壁１６から後壁１８にかけて本体タンク４を貫いている。このパイプ部材６６は、カセットボンベ７１に取り付けられたトーチバーナ７２のバーナ火口部７４を一端６６ａから受け入れる。このため、パイプ部材６６の内径寸法は、バーナ火口部７４の外径寸法よりも大きくする。ここで、一般的なトーチバーナのバーナ火口部の外径寸法は、２２ｍｍ程度であるので、パイプ部材６６の内径寸法は、２５ｍｍ〜３０ｍｍとすることが好ましい。また、パイプ部材の厚さは、強度や加工の容易さを考慮して、１ｍｍ〜２ｍｍとすることが好ましい。
【００４４】
フランジ６８は、ドーナツ形状の薄板により形成されており、パイプ部材６６の一端６６ａ及び他端６６ｂにおいて、本体タンク４から僅かに突出しているパイプ部材６６の両端縁部にそれぞれ嵌合され接合される。フランジの厚さは特に限定されるものではなく、例えば、１．５ｍｍ〜３ｍｍ程度とすることが好ましい。ここで、フランジ６８をパイプ部材６６に接続する方法としては、特に限定されるものではないが、本体タンク４の材質に応じ、溶接、ろう付け、ねじ結合等の接合方法を用いてよく、水を４０℃前後に加熱する程度であれば、接着剤による接着接合が好適である。
【００４５】
なお、このフランジ６８は、パイプ部材６６の一端６６ａの周辺部分がトーチバーナ７２の燃焼ガスの熱により高温になった場合に、当該部分の放熱を促進する放熱器としても機能する。
【００４６】
本発明において用いられる接着剤７６としては、耐水性及び耐熱性を有している接着剤を用いることが好ましい。このような接着剤としては、有機・無機系の種々のものを使用することができる。ここで、低密度ポリエチレンの耐熱温度は一般に７０〜９０℃であり、高密度ポリエチレンの耐熱温度は一般に９０〜１１０℃である。本発明においては、安価で容易に入手が可能な低密度ポリエチレン製の本体タンク４を用いることが好ましいので、本体タンク４の温度の上限値は、７０℃と想定することが好ましい。この上限値は、蓄電池の使用環境としての温度の上限値とも一致する。また、温水シャワー装置に求められるシャワー用温水の温度は４５℃程度であることから、この温度に余裕をもって対応できるように、本体タンク４の温度の上限値は、６０℃とすることがより好ましい。このような状況から接着剤としては、耐熱温度が、少なくとも６０℃を上限値とするものを用いることが好ましい。このよう接着剤としては、例えば、セメダイン株式会社製スーパーＸハイパーワイド（登録商標）やコニシ株式会社製ボンドＧＰクリヤー（商品名）を好適なものとして挙げることができる。なお、より高い耐熱性が必要な場合、取り扱いに煩雑性を有するものの２液性のエポキシ系接着剤を使用することが好ましい。また、エポキシ系接着剤よりも高い耐熱性が必要な場合、セラミック系接着剤を使用することが好ましい。
【００４７】
循環パイプ７０は、直管状の円筒体であり、外径寸法が上記したパイプ部材６６の内径寸法よりも小さい。ここで、循環パイプ７０としては、外径寸法が、例えば、８ｍｍ〜１０ｍｍ程度であり、適度の厚さのものを用いればよい。この循環パイプ７０は、上記したようにパイプ部材６６の長手方向と交差する方向に延びて当該パイプ部材６６を貫いている。本実施形態では、本体タンク４の前壁１６と後壁１８との間に水平に架け渡されたパイプ部材６６を上下に貫通している。また、この循環パイプ７０は、パイプ部材６６に液密に接合されている。ここで、循環パイプ７０をパイプ部材６６に接続する方法としては、特に限定されるものではないが、例えば、上述したパイプ部材６６とフランジ６８と同じ接合方法を用いればよく、この場合にも、接着剤による接着接合が好都合である。本実施形態では、図３に示すように、パイプ部材６６を貫通した循環パイプ７０と、パイプ部材６６の貫通孔６７との間に接着剤７６が塗布され、循環パイプ７０とパイプ部材６６とは液密に接合されている。
【００４８】
循環パイプ７０は、パイプ部材６６中に少なくとも１本配設されていればよく、本実施形態では、図３に示すように、１本のパイプ部材６６につき３本配設されている。なお、循環パイプ７０は３本以上配設されていても構わない。循環パイプ７０の本数は多いほど水を加熱する際の効率が向上するが、パイプ部材６６の通路形状及び循環パイプ７０の外径形状、本数等により、バーナ火炎の流路内抵抗が増大して、却って熱伝達率の悪化やバックファイヤの虞もあるので、これらを考慮して設計の最適化を図ればよい。
【００４９】
ここで、パイプ部材６６内における循環パイプ７０の配設位置は、パイプ部材６６の一端６６ａの側から入れられたトーチバーナ７２のバーナ火口部７４の先端が到達する位置よりも他端６６ｂの側に設定される。これにより、バーナ火口部７４が循環パイプ７０と当接することを避けることができ、トーチバーナ７２のバーナ火口部７４を十分にパイプ部材６６内に挿入することができる。また、パイプ部材６６の他端６６ｂの側においては、パイプ部材６６の他端６６ｂの側の開口に近い位置に循環パイプ７０を配設することが好ましい。この場合、トーチバーナ７２のバーナ火口部７４をパイプ部材６６の他端６６ｂの側から入れようとすると、バーナ火口部７４の先端が循環パイプ７０に当接し、バーナ火口部７４を他端６６ｂの側からは挿入できないようにすることができる。これにより、トーチバーナ７２が１本のパイプ部材６６の両端から対向して挿入されることを防ぐことができる。
【００５０】
上記したような熱交換パイプ６は、本体タンク４の前壁１６及び後壁１８に接着剤７６により液密に接合されている。詳しくは、図３に示すように、熱交換パイプ６は、本体タンク４の前壁１６の所定位置に設けられた前壁貫通孔１７に一方の端部が配設され、本体タンク４の後壁１８の所定位置に設けられた後壁貫通孔１９に他方の端部が配設される。このとき、一方の側のフランジ６８ａは、前壁１６の外側に位置付けられており、他方の側のフランジ６８ｂは後壁１８の外側に位置付けられている。そして、一方の側のフランジ６８ａと前壁１６の外面１６ａとの間及びパイプ部材６６の外周と前壁貫通孔１７の内周端との間が接着剤７６を介して接合されており、更に、前壁１６の内面１６ｂからパイプ部材６６の外周面にかけて図３に示すように接着剤７６が盛られている。また、他方の側のフランジ６８ｂと後壁１８の外面１８ａとの間及びパイプ部材６６の外周と後壁貫通孔１９の内周端との間が接着剤７６を介して接合されており、更に、後壁１８の内面１８ｂからパイプ部材６６の外周面にかけて図３に示すように接着剤７６が盛られている。このようにして、熱交換パイプ６は、接着剤７６により本体タンク４に液密に接合されている。
【００５１】
次に、本発明に係る携帯型温水シャワー装置２の組み立ての手順の一例を以下に示す。
【００５２】
まず、循環パイプ７０が所定位置に液密に接合されているパイプ部材６６、一方の側のフランジ６８ａ、他方の側のフランジ６８ｂ及び上記した本体タンク４を準備する。そして、パイプ部材６６の一端６６ａの周縁に一方の側のフランジ６８ａを嵌合するとともに接着剤７６で接合し、一方端にのみフランジ６８を有するパイプ部材６６を製造する。その後、当該パイプ部材６６を本体タンク４の前壁貫通孔１７に前壁１６の外側から挿通させる。そして、当該パイプ部材６６の他端６６ｂを本体タンク４の後壁貫通孔１９に挿通させる。ここで、前壁１６側において、一方の側のフランジ６８ａと前壁１６の外面１６ａとの間、パイプ部材６６の外周と前壁貫通孔１７の内周端との間及び前壁１６の内面１６ｂからパイプ部材６６の外周面にかかる部分に接着剤７６を塗布し、これらの部分を接着する。また、後壁１８側においては、後壁貫通孔１９から僅かに突出しているパイプ部材６６の他端６６ｂの周縁に他方の側のフランジ６８ｂを嵌合するとともに接着剤７６で接合する。更に、他方の側のフランジ６８ｂと後壁１８の外面１８ａとの間、パイプ部材６６の外周と後壁貫通孔１９の内周端との間及び後壁１８の内面１８ｂからパイプ部材６６の外周面にかかる部分に接着剤７６を塗布し、これらの部分を乾燥して接着する。このようにして、熱交換パイプ６を本体タンク４に液密に接合する。ここで、接着剤は、必要な箇所に予め塗布しておいてもよい。
【００５３】
なお、本体タンク４と熱交換パイプ６におけるフランジ６８との接合は、接着剤による接合に限定されるものではなく、パッキンを挟んでビス及びナットによる締め付け接合でも構わない。
【００５４】
次いで、熱交換パイプ６が接合された本体タンク４の内部における前側突出部２６の対応部分にポンプ駆動ユニット３６を配設し、ねじ４４で固定する。なお、ポンプ駆動ユニット３６には、青色ＬＥＤ４６、赤色ＬＥＤ４８、スイッチ類、電動ポンプ３８等のリード線が防水処理されて予め接続されている。
【００５５】
ここで、具体的には、作業者は、ポンプ駆動ユニット３６を注水口３０から本体タンク４内に入れるとともに、片方の手で当該ポンプ駆動ユニット３６を前側突出部２６の対応部分に配設する。このとき、電源ポート４０及び駆動スイッチ４２が所定位置に設けられたポート用貫通孔２７及びスイッチ用貫通孔２９から突出するようにポンプ駆動ユニット３６を適切な位置に位置付ける。この状態で、作業者はもう一方の手で前側突出部２６の頂面に設けられたねじ貫通孔３１からねじ４４を通し、ポンプ駆動ユニット３６に設けられているねじ孔にねじ４４を螺合する。これにより、ポンプ駆動ユニットを前側突出部２６の対応部分に固定する。なお、ねじ貫通孔３１の部分には、耐水性の接着剤を塗布する、あるいはパッキン等を配設することにより防水処理を施す。
【００５６】
次いで、上壁１４の所定位置に青色ＬＥＤ４６及び赤色ＬＥＤ４８をセットする。具体的には、作業者が注水口３０から片方の手を入れ、ポンプ駆動ユニット３６にリード線を介して連結されている青色ＬＥＤ４６及び赤色ＬＥＤ４８を上壁１４の所定位置に設けられた青色ＬＥＤ用貫通孔４７及び赤色ＬＥＤ用貫通孔４９にそれぞれ取り付ける。このとき、青色ＬＥＤ用貫通孔４７及び赤色ＬＥＤ用貫通孔４９には、耐水性の接着剤を塗布し、防水処理を施す。
【００５７】
次いで、電動ポンプ用配管６２が取り付けられている電動ポンプ３８を注水口から本体タンク４内に入れる。そして、取出口５０の内側に電動ポンプ用配管６２を接続し、当該電動ポンプ用配管６２を介して電動ポンプ３８を取出口５０に連結する。
【００５８】
次いで、取出口５０の取出口突出部５２にシャワー用アダプタ５４を螺合させ、更に、このシャワー用アダプタ５４にシャワーセット８を取り付ける。そして、最後に、本体タンク４の注水口３０における注水口突出部３２に蓋体３４を螺合させる。
【００５９】
このようにして本発明に係る携帯型温水シャワー装置２が得られる。上述のように、本発明に係る携帯型温水シャワー装置２は、特殊な工具を用いることなく、接着剤やねじを使うだけで、極めて容易に構成部品の取付け作業を行うことができる。
【００６０】
次に、本発明に係る携帯型温水シャワー装置２の使用方法の一例を以下に説明する。
【００６１】
まず、蓋体３４を開けて注水口３０から本体タンク４内に所定量の水を注入する。
【００６２】
また、本体タンク４の取出口５０の取出口突出部５２にシャワー用アダプタ５４を取り付けるとともに、シャワー用アダプタ５４のカップリングプラグ６０にシャワーセット８のソケット５８を取り付ける。これにより、シャワーヘッド６４を、シャワーホース５６を介して本体タンク４に接続する。
【００６３】
この状態の携帯型温水シャワー装置２及びカセットボンベ７１に取り付けられたトーチバーナ７２（２個）を所望の場所へ手持ちで携行する。
【００６４】
その後、トーチバーナ７２を発火させ、火炎を噴き出しているトーチバーナ７２のトーチ火口部７４を熱交換パイプ６のパイプ部材６６における一端６６ａの側の開口から挿入する。このようにして、カセットボンベ７１から供給された可燃ガスをパイプ部材６６の内部で燃焼させる。この可燃ガスの燃焼により生じた燃焼ガスの熱により、パイプ部材６６及び循環パイプ７０が加熱され、その熱が、パイプ部材６６及び循環パイプ７０に接する水に伝わり、水が加熱される。このとき、本体タンク４内の温められた水は、図３中の矢印Ｗで示すように循環パイプ７０を通って循環させることが出来、循環パイプ７０による加温水の循環によって加熱効率を上げることが出来る。
【００６５】
以上のようにトーチバーナ７２で本体タンク４内の水を加熱し、当該水が４０℃〜４５℃程度の温水になったところで、駆動スイッチ４２をオン状態とし電動ポンプ３８を駆動させ、本体タンク４内の温水を、取出口５０及びホース５６を介してシャワーヘッド６４から放出させる。これにより使用者は温水シャワーを所望の場所で浴びることができる。
【００６６】
温水シャワーを終了する場合は、電源スイッチ４２をオフ状態にすれば電動ポンプ３８は停止し、シャワーを止めることができる。
【００６７】
ここで、蓄電池の容量が少なくなり充電が必要になった場合、電源ポート４０に電源プラグを差し込むことにより充電を行うことができる。この電源プラグは、例えば、車両のシガーソケットからの給電を可能とする給電コードに繋がれているものを用いることが好ましい。これにより車両等の電源から充電ができる。
【００６８】
なお、本発明に係る携帯型温水シャワー装置２においては、注水口３０の大きさを、ソケット５８、シャワーホース５６及びシャワーヘッド６４を含むシャワーセット８と、カセットボンベ７１と、トーチバーナ７２とを出し入れ可能な大きさとし、また、本体タンク４内の容積もこれらシャワーセット８と、カセットボンベ７１と、トーチバーナ７２とを収容可能なだけの大きさとすることが好ましい。こうすることにより、携帯型温水シャワー装置２をしまっておく場合、シャワーセット８と、カセットボンベ７１と、トーチバーナ７２とを本体タンク４内に収容させておくことができ、収納性が良くなるので好ましい。また、このように、本体タンク４内にシャワーセット８と、カセットボンベ７１と、トーチバーナ７２とを収容できれば、かさばらないので、携帯型温水シャワー装置２を給水用の水場へ運ぶまでの間、運び易いので好ましい。
【００６９】
以上のように、本発明に係る携帯型温水シャワー装置２は、トーチバーナ７２の燃焼ガスの熱で容易に水を加熱して温水を得ることができる。このため、電源のない場所でも、容易に温水シャワーを使うことができる。本発明においては、トーチバーナの火炎が当たるのは金属製のパイプ部材６６の内部なので、本体タンク４に火炎が直接当たることはない。よって、本体タンクにポリエチレン等の樹脂容器を用いることができる。このため、本発明に係る携帯型温水シャワー装置２は、軽量に形成することができ、持ち運びが容易である。また、熱交換パイプを含め、携帯型温水シャワー装置２の組み立てを、接着剤を用いて行えるので、本発明に係る携帯型温水シャワー装置２は、構成部品をキットとして購入すれば、サーファーやアウトドアスポーツを嗜好するユーザ自らによって安価に製造することができるとともに、加工及び組立も容易である。
【００７０】
また、本発明の携帯型温水シャワー装置の熱効率を求めるために、本体タンク４内に貯留される水の量、当該水の加熱時の温度の変化、及び加熱の際に消費したガス量を計測した。このときガスの公称発熱量である１４ｋｃａｌ／ｇを用いて求めた熱効率の値は約６４％であった。ここで、旧式の市販の瞬間ガス湯沸かし器の場合、その熱効率は７８％程度であり、効率を良くするために熱回収回路装置を付した最新の市販の瞬間ガス湯沸かし器の場合、その熱効率は９２％程度であることから、総合的に勘案すると、本発明の携帯型温水シャワー装置の熱効率は、市販の瞬間ガス湯沸かし器の熱効率よりは低いものの、十分高い熱効率値を得ていると言える。
【００７１】
更に、例えば、カセットボンベ７１の１本当たりの市販価格を考慮すると、２本のカセットボンベ７１を用いて５回のシャワーを実現した場合、１回当たりのシャワーの燃料費は、十分安価に温水シャワーを使用することができると見積もることができる。このため、本発明によれば、安上がりの携帯型温水シャワー装置を実現することができると言える。
【００７２】
（第２の実施形態）
【００７３】
第２の実施形態を説明するにあたり、第１の実施形態と異なる部分についてのみ説明し、既に説明した第１の実施形態と同じ部分については、同じ参照符号を付すことで詳しい説明は省略する。
【００７４】
図４は、第２の実施形態の携帯型温水シャワー装置１０３を示す。この携帯型温水シャワー装置１０３は、２個のトーチバーナ７２の代わりに２個のバーナ火口部９２を有するトーチバーナ装置９０を備えている。
【００７５】
このトーチバーナ装置９０のバーナ火口部９２は、第１熱交換パイプ６ａ及び第２熱交換パイプ６ｂの間隔と同じ間隔だけ隔てられた位置に２個並列に配設されている。これにより、トーチバーナ装置９０は、第１熱交換パイプ６ａ及び第２熱交換パイプ６ｂのそれぞれに対応するバーナ火口部９２を一度に挿入することができ、燃焼ガスの熱を第１熱交換パイプ６ａ及び第２熱交換パイプ６ｂの両方に供給することができる。
【００７６】
また、トーチバーナ装置９０は、ガス配管９４を介してプロパンガスの小型ガスボンベ９６に接続されている。ここで、小型ガスボンベ９６のサイズは特に限定されるものではないが、小型ガスボンベとしては、例えば、高さ３０．１ｃｍ、直径２１．９ｃｍ、重さ４．５ｋｇ（空の状態で２ｋｇ）であるものが携帯性にも優れ、ガスの容量もカセットボンベ７１のガス容量よりも多いので好適である。
【００７７】
この携帯型温水シャワー装置１０３は、カセットボンベ７１を用いる第１の実施形態の携帯型温水シャワー装置２よりも長時間使用することができる。
【００７８】
（第３の実施形態）
【００７９】
第３の実施形態を説明するにあたり、第１の実施形態と異なる部分についてのみ説明し、既に説明した第１の実施形態と同じ部分については、同じ参照符号を付すことで詳しい説明は省略する。
【００８０】
図５は、第３の実施形態に係る携帯型温水シャワー装置２の組立キット１０４の構成を示す。
【００８１】
組立キット１０４の構成は、携帯型温水シャワー装置２を構成するに必要な部品と、少なくとも熱交換パイプ６を本体タンク４のタンク壁（前壁１６及び後壁１８）に液密に接合するための接着剤とを備えている。具体的には、本体タンク４が１個と、熱交換パイプ６を構成するフランジ６８及びパイプ部材６が熱交換パイプ２本分と、シャワーセット８が１セットと、電動ポンプ用配管６２が取り付けられた電動ポンプ３８が１セットと、ポンプ駆動ユニット３６が１個と、青色ＬＥＤ４６、赤色ＬＥＤ４８、ねじ４４等の部品類が１セットと、カセットボンベ７１に取り付けられたトーチバーナ７２が２個と、接着剤７６が１個とを備えている。
【００８２】
この組立キット１０４は、上記した各部品を第１の実施形態で説明したように、ユーザ自身で組み立てることにより、本発明に係る携帯型温水シャワー装置２を得ることができる。
【００８３】
なお、本発明は、上記した実施形態に限定されるものではなく、種々の変更が可能である。本発明に係る携帯型温水シャワー装置は、例えば、電動ポンプ３８を省略し、本体タンク４を高い所（例えば、脚立の上や車両のルーフ上）に置き、自然落下式で温水をシャワーヘッドから放出するタイプとしてもよい。この場合、トーチバーナ７２で加温水を作った後、本体タンク４の前壁１６を下方に向けると取出口５０は自ずと下方位置に位置付けることができ、本体タンク４に貯留されるすべての温水を利用することができる。
【００８４】
また、本発明に係る携帯型温水シャワー装置は、アウトドア用に限定されるものではなく、水や電力の供給が遮断されるような災害などの緊急事態時や医療の現場や介護の現場で使用することもできる。
【００８５】
また、本発明に係る携帯型温水シャワー装置は、熱交換パイプ６が本体タンク４内において横架されていればよく、前壁１６と後壁１８との間に水平に架け渡される態様に限定されない。例えば、前壁１６と後壁１８との間に斜めに架け渡されていてもよく、前壁１６と左側壁２０又は右側壁２２との間、後壁１８と左側壁２０又は右側壁２２との間、左側壁２０と右側壁２２との間等、任意の壁間に架け渡されていてもよい。
【符号の説明】
【００８６】
２                  携帯型温水シャワー装置
４                  本体タンク
６                  熱交換パイプ
８                  シャワーセット
１６                前壁
１８                後壁
３０                注水口
５０                取出口
５６                シャワーホース
６４                シャワーヘッド
７１                カセットボンベ
７２                トーチバーナ
７４                バーナ火口部
【図１】
2019042246.tif 000003
【図２】
2019042246.tif 000004
【図３】
2019042246.tif 000005
【図４】
2019042246.tif 000006
【図５】
2019042246.tif 000007